(57)【要約】【課題】フリッカの発生を抑制する。【解決手段】ドット毎（１H／１V毎）に第１の透過率設定値と第２の透過率設定値とが交互に設定され、極性反転が１フィールドごとであるとき、最適ＶＣＯＭに調整されていないとき（ＶＣＯＭ高めまたは低めのとき）であっても、それぞれの画素に注目したとしても、発生するフリッカ成分は６０Ｈｚであり、人間の目に視認されない。したがって、最適VCOMの調整範囲を広く設定することができ、工程中のリードタイムを短くする事ができる。本発明は、液晶表示装置に適用できる。【選択図】図１７
2008304661.tif 000002
【特許請求の範囲】
【請求項１】
液晶に両極性の電圧を印加し、前記液晶の透過率を変更することによって画像を表示する表示装置において、
画素ごとに、前記液晶と、前記液晶への電圧の印加を入切するスイッチング素子とを含んで構成される液晶パネルと、
前記液晶パネルを駆動する駆動手段と、
前記駆動手段を制御する制御手段と
を備え、
前記制御手段は、
入力画像フレームのそれぞれ１フレームを複数のフィールドに分割し、中間調を表示する画素においては、分解されたそれぞれのフィールドにおいて異なる透過率となり、かつ、人間の目に複数枚のフィールド画像が積算されて視認されたときに、入力画像と同じ画、同じ明るさになるように、それぞれの透過率を設定し、
各画素に対応する液晶が、それぞれのフィールドにおいて設定されたいずれかの透過率となり、かつ、各画素において周辺画素がほぼ同極性となるような反転表示において、１フィールドずつ各画素の極性が反転するように、前記駆動手段を制御する
表示装置。
【請求項２】
前記制御手段は、分解されたそれぞれのフィールドのうちの少なくとも１つのフィールドの画素の透過率を、リバースチルトの影響が顕著に現れる中間調表示領域とならないように設定する
請求項１に記載の表示装置。
【請求項３】
前記制御手段は、１フィールドの全画素が同一極性である反転表示が実行されるように、前記駆動手段を制御する
請求項１に記載の表示装置。
【請求項４】
前記制御手段は、フィールド間で間引き１Ｈ反転駆動が実行されるように、前記駆動手段を制御する
請求項１に記載の表示装置。
【請求項５】
前記制御手段は、１フレームの全画素が同一極性である反転表示が実行されるように、前記駆動手段を制御する
請求項１に記載の表示装置。
【請求項６】
前記制御手段は、
１フレームを第１のフィールドと第２のフィールドとの２フィールドに分割し、
１フィールドを複数の領域に分割し、
分解された２つのフィールドに対応して第１の透過率設定値と、前記第１の透過率設定値よりも透過率の高い第２の透過率設定値を設定し、
１フィールドのとなりあう領域で第１の透過率設定値と第２の透過率設定値とが割り当てられるように、前記液晶の透過率を設定する
請求項１に記載の表示装置。
【請求項７】
前記制御手段は、各フレームの第１のフィールドの各画素において、第１の透過率設定値と第２の透過率設定値とが交互に割り当てられるように、前記液晶の透過率を設定する
請求項６に記載の表示装置。
【請求項８】
前記制御手段は、表示されるフィールドレートが２４０Ｈｚとなるように、前記駆動手段を制御する
請求項１に記載の表示装置。
【請求項９】
液晶パネルに含まれる液晶に両極性の電圧を印加し、前記液晶の透過率を変更することによって画像を表示する表示装置の表示方法において、
入力画像フレームの入力を受け、
入力画像フレームのそれぞれ１フレームを複数のフィールドに分割し、中間調を表示する画素においては、分解されたそれぞれのフィールドにおいて異なる透過率となり、かつ、人間の目に複数枚のフィールド画像が積算されて視認されたときに、入力画像と同じ画、同じ明るさになるように、分割後の透過率を設定し、
設定された透過率を、各フィールドに割り当て、
各画素に対応する液晶が、それぞれのフィールドにおいて設定された透過率となり、かつ、各画素において周辺画素がほぼ同極性となるような反転表示において、１フィールドずつ各画素の極性が反転するように、前記液晶を駆動する
ステップを含む表示方法。
【発明の詳細な説明】
【技術分野】
【０００１】
本発明は、表示装置および表示方法に関し、特に、画素間のピッチが狭い液晶パネルにより画像を表示する場合に用いて好適な、表示装置および表示方法に関する。
【背景技術】
【０００２】
アクティブマトリクス型の液晶表示装置は、走査（ゲート）線がマトリクス配置における行としてまた、信号線がマトリクス配置における列として配置され、各走査線及び信号線の交差部に、画素に対応する液晶セルが、行列状（マトリクス状）に配置されている。そして、液晶セルに格納されている液晶は、１１水平期間（１Ｈ）毎にその行の素子をアクティブ状態にする水平駆動回路と、アクティブ状態になっている行の走査線を順次走査（スキャン）して画素を行毎（ライン毎）に選択して駆動する垂直駆動回路とにより印加される電圧により駆動されるようになされている。
【０００３】
なお、画素に対応する液晶セルに格納されている液晶は、直流電圧が印加されると寿命が短くなってしまう。そこで、一般的な液晶表示装置においては、共通電極に印加する電圧を基準にして、液晶セルの画素電極に印加する電圧を、一定時間毎に、正電圧側と負電圧側に変化させることにより、寿命が短くなることを防止することができるようになされている。
【０００４】
従来、特に高温ポリシリコンを用いたマイクロディスプレイにおいて、１水平ラインごとに反転駆動を行う、1H反転駆動が行われていた。しかしながら、近年、パネルの小型化とともに画素の狭ピッチ化が進み、1H反転駆動が行われた場合、液晶に印加される電界は、画素電位と対向電位間で決定される電界より、逆極性である上下隣接画素電位間の電界の影響を強く受け（1H反転駆動が行われた場合、左右の隣接画素は同一極性のため電界の影響は少ない）、リバースチルトが発生し、結果的に光漏れの原因となっていた。
【０００５】
逆極性となる隣接画素電位間の電界の影響によるリバースチルトの発生を回避するためには、例えば、１フィールド内の極性は各水平ライン垂直ラインとも同一として上下左右の隣接画素の極性が同一になるようにして、フィールド間で極性を反転させる１Ｆ反転駆動が行われていた（例えば、特許文献１参照）。
【０００６】
【特許文献１】特開２００５−０１７５２８号公報
【０００７】
１Ｆ反転駆動では、画面のちらつき、所謂、フリッカが問題となるが、例えば、図１に示されるように、入力された６０Hzのフレーム画像データを、同一の画像を１２０Hzで２回表示する、すなわち、１フレームを２フィールドの画像を用いて表示する（図１においては、黒表示時、中間調表時事、および、白表示時を例として図示している）などのように、出力されるフィールド周波数を入力フレーム周波数から倍速にする事でフリッカの発生を防止するようになされてきた。
【０００８】
すなわち、対向電圧値（VCOM）が最適値に設定されておらず、VCOMが最適値より低い場合、または、高い場合、１フレームを２フィールドの画像を用いて表示しないならば、透過率が変化しないはずの画素に印加される電圧値がフレームごとに変化してしまい、３０Hz成分のフリッカが発生してしまう。これに対して、図２に示されるように、出力を１２０Hzとすることにより、例えば、図中Aで示される画素において発生するフリッカ成分を６０Hzとすることができるため、人間の目には、フリッカが視認されなくなる。すなわち、入力される画像のフレームレートをあげなくても、出力される画像のフィールドレートを入力フレームレートの倍にすることにより、発生するフリッカの周波数を高くすることが可能となる。
【発明の開示】
【発明が解決しようとする課題】
【０００９】
液晶表示装置を用いて画像を表示する技術分野においては、画素数が増加され、表示パネル自体が小型化されることにより、更に画素ピッチが狭くなり、高精細化が進んでいる。
【００１０】
具体的には、例えば、640×480の表示解像度であるVGA（Video Graphics Array）から、1024×768の表示解像度であるXGA（eXtended Graphics Array）に高精細化が進み、現在は、1920×1080の有効画素数を有するFull HD（Full High Definition）まで実用化されている。そして、更に高い表示解像度が求められ、開発研究が進められている。
【００１１】
このように、画素の更なる狭ピッチ化が進められると、または、同様の画素ピッチでも高開口率化が進められると、上下左右の隣接画素が同極性の１Ｆ反転駆動でも、例えば、図２に示されるように、中間調表示の領域の中に矩形の白表示または黒表示があるようなウィンドウ表示など、画面内に階調差を有するエッジ部分を有するようなパターンの場合、階調差を有するエッジ部には同一極性内であっても電位差があるため、リバースチルトが発生し、光漏れとなり、画質が劣化してしまう。
【００１２】
本発明はこのような状況に鑑みてなされたものであり、液晶表示装置において表示される画質の劣化を防ぐことができるようにするものである。
【課題を解決するための手段】
【００１３】
本発明の一側面の表示装置は、液晶に両極性の電圧を印加し、前記液晶の透過率を変更することによって画像を表示する表示装置であって、画素ごとに、前記液晶と、前記液晶への電圧の印加を入切するスイッチング素子とを含んで構成される液晶パネルと、前記液晶パネルを駆動する駆動手段と、前記駆動手段を制御する制御手段とを備え、前記制御手段は、入力画像フレームのそれぞれ１フレームを複数のフィールドに分割し、中間調を表示する画素においては、分解されたそれぞれのフィールドにおいて異なる透過率となり、かつ、人間の目に複数枚のフィールド画像が積算されて視認されたときに、入力画像と同じ画、同じ明るさになるように、それぞれの透過率を設定し、各画素に対応する液晶が、それぞれのフィールドにおいて設定されたいずれかの透過率となり、かつ、各画素において周辺画素がほぼ同極性となるような反転表示において、１フィールドずつ各画素の極性が反転するように、前記駆動手段を制御する。
【００１４】
前記制御手段には、分解されたそれぞれのフィールドのうちの少なくとも１つのフィールドの画素の透過率を、リバースチルトの影響が顕著に現れる中間調表示領域とならないように設定させるようにすることができる。
【００１５】
前記制御手段には、１フィールドの全画素が同一極性である反転表示が実行されるように、前記駆動手段を制御させるようにすることができる。
【００１６】
前記制御手段には、フィールド間で間引き１Ｈ反転駆動が実行されるように、前記駆動手段を制御させるようにすることができる。
【００１７】
前記制御手段には、１フレームの全画素が同一極性である反転表示が実行されるように、前記駆動手段を制御させるようにすることができる。
【００１８】
前記制御手段には、１フレームを第１のフィールドと第２のフィールドとの２フィールドに分割させ、１フィールドを複数の領域に分割させ、分解された２つのフィールドに対応して第１の透過率設定値と、前記第１の透過率設定値よりも透過率の高い第２の透過率設定値を設定させ、１フィールドのとなりあう領域で第１の透過率設定値と第２の透過率設定値とが割り当てられるように、前記液晶の透過率を設定させるようにすることができる。
【００１９】
前記制御手段には、各フレームの第１のフィールドの各画素において、第１の透過率設定値と第２の透過率設定値とが交互に割り当てられるように、前記液晶の透過率を設定させるようにすることができる。
【００２０】
前記制御手段には、表示されるフィールドレートが２４０Ｈｚとなるように、前記駆動手段を制御させるようにすることができる。
【００２１】
本発明の一側面の表示方法は、液晶パネルに含まれる液晶に両極性の電圧を印加し、前記液晶の透過率を変更することによって画像を表示する表示装置の表示方法であって、入力画像フレームの入力を受け、入力画像フレームのそれぞれ１フレームを複数のフィールドに分割し、中間調を表示する画素においては、分解されたそれぞれのフィールドにおいて異なる透過率となり、かつ、人間の目に複数枚のフィールド画像が積算されて視認されたときに、入力画像と同じ画、同じ明るさになるように、分割後の透過率を設定し、設定された透過率を、各フィールドに割り当て、各画素に対応する液晶が、それぞれのフィールドにおいて設定された透過率となり、かつ、各画素において周辺画素がほぼ同極性となるような反転表示において、１フィールドずつ各画素の極性が反転するように、前記液晶を駆動するステップを含む。
【００２２】
本発明の一側面においては、入力画像フレームの入力を受け、入力画像フレームのそれぞれ１フレームが複数のフィールドに分割され、中間調を表示する画素においては、分解されたそれぞれのフィールドにおいて異なる透過率となり、かつ、人間の目に複数枚のフィールド画像が積算されて視認されたときに、入力画像と同じ画、同じ明るさになるように、分割後の透過率が設定され、設定された透過率が、各フィールドに割り当てられ、各画素に対応する液晶が、それぞれのフィールドにおいて設定された透過率となり、かつ、各画素において周辺画素がほぼ同極性となるような反転表示において、１フィールドずつ各画素の極性が反転するように、液晶が駆動される。
【００２３】
表示装置は、独立した装置であっても良いし、情報処理装置の表示処理を行うブロックであっても良い。
【発明の効果】
【００２４】
以上のように、本発明の一側面によれば、液晶を駆動して画像を表示することができ、特に、１フレームをそれぞれ透過率の異なる複数フィールドに分解して表示させることにより、表示画像の品質を向上させることができる。
【発明を実施するための最良の形態】
【００２５】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２６】
本発明の一側面の表示装置は、液晶に両極性の電圧を印加し、前記液晶の透過率を変更することによって画像を表示する表示装置であって、画素ごとに前記液晶と前記液晶への電圧の印加を入切するスイッチング素子とを含んで構成される液晶パネル（例えば、図３の液晶パネル１１）と、前記液晶パネルを駆動する駆動手段（例えば、図３の信号線駆動回路１２およびゲート線駆動回路１３）と、前記駆動手段を制御する制御手段（例えば、図３のコントローラ１４）とを備え、前記制御手段は、入力画像フレームのそれぞれ１フレームを複数（例えば、２枚）のフィールドに分割し、中間調を表示する画素においては、分解されたそれぞれのフィールドにおいて異なる透過率となり、かつ、人間の目に複数枚のフィールド画像が積算されて視認されたときに、入力画像と同じ画、同じ明るさになるように、それぞれの透過率を設定し、各画素に対応する液晶が、それぞれのフィールドにおいて設定されたいずれかの透過率となり、かつ、各画素において周辺画素がほぼ同極性となるような反転表示において、１フィールドずつ各画素の極性が反転するように、前記駆動手段を制御する。
【００２７】
本発明の一側面の表示方法は、液晶パネルに含まれる液晶に両極性の電圧を印加し、前記液晶の透過率を変更することによって画像を表示する表示装置の表示方法であって、入力画像フレームの入力を受け（例えば、図６のステップＳ１、図７のステップＳ４１、または、図８のステップＳ８１の処理）、入力画像フレームのそれぞれ１フレームを複数（例えば、２枚）のフィールドに分割し、中間調を表示する画素においては、分解されたそれぞれのフィールドにおいて異なる透過率となり、かつ、人間の目に複数枚のフィールド画像が積算されて視認されたときに、入力画像と同じ画、同じ明るさになるように、分割後の透過率を設定し（例えば、図６のステップＳ２、図７のステップＳ４２、または、図８のステップＳ８２の処理）、設定された透過率を、各フィールドに割り当て（例えば、図６のステップＳ３、図７のステップＳ４３、または、図８のステップＳ８３の処理）、
各画素に対応する液晶が、それぞれのフィールドにおいて設定された透過率となり、かつ、各画素において周辺画素がほぼ同極性となるような反転表示において、１フィールドずつ各画素の極性が反転するように、前記液晶を駆動する（例えば、図６のステップＳ４乃至ステップＳ９、図７のステップＳ４４乃至ステップＳ４９、または、図８のステップＳ８４乃至ステップＳ８８の処理）ステップを含む。
【００２８】
以下、図を参照して、本発明の実施の形態について説明する。
【００２９】
図３は、液晶表示装置１の構成を示すブロック図である。
【００３０】
図３に示されるように、液晶表示装置１は、液晶パネル１１、信号線駆動回路１２、ゲート線駆動回路１３、およびコントローラ１４を含む。液晶パネル１１は、マトリックス駆動される画素型のディスプレイであり、画素である、画面に配置されている液晶セル内部の液晶の配列を制御することにより透過する光量を変化させて、画像を表示する。
【００３１】
信号線駆動回路１２およびゲート線駆動回路１３は、コントローラ１４から供給される制御信号に基づいて、液晶パネル１１の各画素をマトリックス駆動する。
【００３２】
液晶パネル１１には、１行１列からｎ行ｍ列まで画素としての液晶セルが配置されている。なお、液晶パネル１１には、例えば、640×480の表示解像度であるVGA（Video Graphics Array）、1024×768の表示解像度であるXGA（eXtended Graphics Array）、または、1920×1080の有効画素数を有するFull HD（Full High Definition）等を採用することができ、これらのように、表示解像度が高いと、画像の品質が向上し、好適である。液晶パネル１１においては、共通電極に印加する電圧（所謂コモン電圧）を基準にして、液晶セルの画素電極に印加する電圧を、一定時間毎に、正電圧側と負電圧側に変化させることにより、寿命が短くなることを防止するようになされている。
【００３３】
図４に、液晶の電圧透過率（Ｖ−Ｔ）曲線を示す。横軸は液晶層に印加される電圧、縦軸は相対透過率を表す。電圧無印加時の状態から電圧を上昇していくと、透過率が徐々に増加する。透過率の増加は、電圧に対して比例するのではなく、中間調表示領域（液晶により異なるが、概ね、透過率が２０％乃至５０％の領域）において、特に急峻となる。リバースチルトの影響が顕著に現れるのは、Ｖ−Ｔ曲線が急峻となる中間調表示領域である。
【００３４】
そこで、液晶表示装置１では、Ｖ−Ｔ曲線が急峻となる中間調表示領域をできるだけ避けることができるように、液晶に電圧を印加するものとする。
【００３５】
従来の倍速１F反転駆動を実行する液晶表示装置においては、１フレームを２フィールドで表示する際、入力信号に対し、同じ画（１枚の画）を２回表示するようになされていたが、液晶表示装置１では、１枚の画を２枚のフィールドに分解し、中間調を表示する画素においては、１フィールド目と２フィールド目で異なる透過率となるように、対応する画素に電圧を印可する。すなわち、１フィールド目と２フィールド目の画は、その画像が白と黒（透過率１００％と０％）の画素のみから構成されているのでなければ、換言すれば、中間調を有する画素を含む画像であれば、異なる透過率の画素を有する画となる。このとき、１フィールド目と２フィールド目との画は、人間の目に積算されて視認されたときに、入力画像と同じ画、同じ明るさになるように分解される。
【００３６】
画像の分解の方法の詳細例について、以下に説明する。
【００３７】
まず、１フレームの画像を、１フィールド目と２フィールド目との２枚のフィールド画像に分解した場合の、それぞれの画素の透過率について説明する。
【００３８】
透過率１００％の画素は、１フィールド目と２フィールド目との２枚とも透過率１００％とされる。そして、透過率０％の画素は、１フィールド目と２フィールド目との２枚とも透過率０％とされる。
【００３９】
これに対して、中間調を有する画素は、１フィールド目と２フィールド目との２枚の画の対応する画素の透過率が異なるようにそれぞれのフィールドの画素の透過率が設定される。例えば、透過率７５％の画素は、１枚を透過率１００％としてもう１枚を透過率５０％とすることができ、透過率５０％の画素は、１枚を透過率１００％としてもう１枚を透過率０％とすることができ、透過率２５％の画素は、１枚を透過率５０％としてもう１枚を透過率０％とすることができる。
【００４０】
また、１フィールド目と２フィールド目とのうちの多くても一方だけしか中間調領域の透過率にならないように、換言すれば、１フィールド目と２フィールド目とのうちの少なくとも一方は、中間調領域の透過率を避けるように印可電圧を設定すれば、１フィールド目と２フィールド目とのそれぞれへの透過率の分離の方法は自由に設定可能である。
【００４１】
このように駆動することで、Ｖ−Ｔ曲線が急峻となる中間調表示領域（液晶により、電圧に対する透過率の感度が異なるが、概ね透過率が２０％乃至５０％となる領域）を保持している期間を、１フィールド目と２フィールド目とのうちの多くても一方とすることができ、光漏れの影響も半分以下に低減することが可能である。
【００４２】
また、液晶表示装置１の液晶パネル１１に用いられている液晶の電圧に対する透過率の感度に基づいて、１フィールド目と２フィールド目とのいずれの透過率も、Ｖ−Ｔ曲線が急峻となる中間調表示領域をできるだけ避けることができるように、１フィールド目と２フィールド目とのそれぞれへの透過率を設定することが可能であれば、更に好適である。
【００４３】
また、２枚の画に分解する場合、透過率の異なる２枚の画像フィールドの並び順は、透過率の高いほうが前であっても、後ろであっても良いことは言うまでもない。
【００４４】
また、１フレームのフレーム画像をフィールド画像に分割する場合の分割の数、すなわち、１フレームの画像データに対応するフィールドの数は、２枚以上であっても良く、各画素の透過率は、倍速駆動のため、人間の目に積算されて視認されたときに、同じ画、同じ明るさになるように分解された値であれば良い。具体的には、１枚の画がｎ枚に分割される場合、次の式（１）が成り立つように、それぞれのフィールドの画素の透過率α1、α2、・・・αnが決められる。
【００４５】
入力フレームにおける対応する画素の透過率＝α1/ｎ＋α2/ｎ＋・・・＋αn/ｎ
・・・（１）
【００４６】
ところで、上述したように、従来の１Ｆ反転駆動では、入力信号に対し表示を倍速にしている。これは、例えば、入力信号６０Hzで１Ｆ反転駆動にしただけでは３０Hz成分のフリッカが発生して、見る人が画像のちらつきを感じてしまうので、これを防ぐために、入力信号に対し表示を倍速の１２０Hzにする事で、フリッカ成分を人間の目には視認されない６０Hzとするためである。
【００４７】
液晶表示装置１においては、中間調を有する画素は、１フィールド目と２フィールド目との２枚の画の対応する画素の透過率が異なるようにそれぞれのフィールドの画素の透過率が設定される。したがって、それぞれの画素で、例えば、透過率が高い（明るい）設定値を第１の透過率設定値、透過率が低い（暗い）設定値を第２の透過率設定値とし、中間調を有する全画素で、１フィールド目を第１の透過率設定値、２フィールド目を第２の透過率設定値となるように透過率を割り振った場合、VCOMが最適値に調整されていたとしても、入力信号の１／２の周波数成分のフリッカが発生する。例えば、入力信号が１２０Hz以上であるとき、発生するフリッカの周波数が６０Hz以上となり、フリッカは人間の目には視認されないので問題ない。これに対して、例えば、入力信号が６０Hzであるとき、表示を倍速の１２０Hz駆動にした場合でも、全画素で１回目を明るく、２回目を暗く、となるように透過率を割り振ってしまっては、６０Hz駆動と同一の３０Hz成分のフリッカが発生してしまい、人間の目にフリッカの発生が視認されてしまう。
【００４８】
そこで、１枚の画像を複数の領域に分割し、となりあう領域で第１の透過率設定値と第２の透過率設定値とが割り当てられるように、すなわち、それぞれのフィールドで、明るい領域と暗い領域が混在するように、１フレームの画像を２枚以上の複数フィールドに分解するようにすると好適である。
【００４９】
具体的には、液晶表示装置１においては、図５に示されるように、１Hライン毎に第１の透過率設定値と第２の透過率設定値とが交互に設定される第１の領域分割パターンと、１Vライン毎に第１の透過率設定値と第２の透過率設定値とが交互に設定される第２の領域分割パターンと、ドット毎（１H／１V毎）に第１の透過率設定値と第２の透過率設定値とが交互に設定される第３の領域分割パターンとのいずれかの方法を適用することができる。これにより、画面全体としては、１フィールド目と２フィールド目とで画面の各部分の明るさが大きく異なる機会を少なくするが可能となり、VCOMが最適値に調整されていなくても、発生するフリッカが視認されにくくなり、また、VCOMが最適値に調整されていれば、入力フレームレートが６０Hzであっても３０Hz成分のフリッカを除去することができ、好適である。
【００５０】
また、１Hライン毎に第１の透過率設定値と第２の透過率設定値とが交互に設定される第１の領域分割パターンにおいては、水平ラインで画素の透過率の設定（すなわち、液晶に印可される電圧の設定）を分解するため、上下画素間の電位差の影響は受けづらいが、左右画素間の電位差の影響は受けやすい。そして、１Vライン毎に第１の透過率設定値と第２の透過率設定値とが交互に設定される第２の領域分割パターンにおいては、垂直ラインで画素の透過率の設定（すなわち、液晶に印可される電圧の設定）を分解するため、左右画素間の電位差の影響は受けづらいが、上下画素間の電位差の影響は受けやすい。そして、ドット毎（１H／１V毎）に第１の透過率設定値と第２の透過率設定値とが交互に設定される第３の領域分割パターンにおいては、上下画素間の電位差の影響も左右画素間の電位差の影響も受けづらい。すなわち、この３つの領域分割パターンの中で、ドット毎（１H／１V毎）に第１の透過率設定値と第２の透過率設定値とが交互に設定される第３の領域分割パターンを採用することにより、画質が最も向上される。
【００５１】
また、図５においては、１Hライン毎、１Vライン毎、ドット毎（１H／１V毎）に領域を分割する場合について図示しているが、例えば、領域の分割は、水平垂直方向とも、複数ラインごとであっても良く、複数ドットにより構成される矩形領域ごとであっても良い。なお、表示される画像の品質は、水平垂直方向とも、領域を構成するラインの数が少ないほど良く、更に、複数ラインごとである場合より、１Hライン毎、１Vライン毎であると良いし、複数ドットにより構成される場合は、その矩形領域が小さいほど良く、更に、１ドットであると良い。
【００５２】
また、領域分割パターンは、いずれかのパターンのみを適用するのみならず、駆動の途中でそれぞれを組み合わせて用いるようにしても良い。
【００５３】
また、入力フレームレートが１２０Hzなど高フレームレートであるとき、１枚の画像を複数の領域に分割して、となりあう領域で第１の透過率設定値と第２の透過率設定値とが割り当てられるようにしなくても、発生するフリッカは、人間の目には視認されないが、高フレームレートであっても、１枚の画像を複数の領域に分割して、となりあう領域で第１の透過率設定値と第２の透過率設定値とが割り当てられるようにすることにより、画質が更に向上するので、好適である。
【００５４】
このように、液晶表示装置１においては、１枚の画を複数フィールド、例えば、２フィールドに分け、となりあう領域で第１の透過率設定値と第２の透過率設定値とが割り当てられるようにし、その割り当てを、２枚のフィールドにおいて、それぞれ異なるものとしたことにより、フィールド毎に極性反転させなくても、２フィールド毎に極性反転させることにより充分な画質を得ることが可能となる。特に、入力フレームレートが６０Ｈｚで出力フィールドレートが１２０Ｈｚであっても、最適VCOMが精度よく調整されているとき、２フィールド毎に極性反転させても、人間に視認されるようなフリッカは発生せず、充分な画質を得ることができる。
【００５５】
また、１フレームの画像を２フィールドの画像に分ける場合、１枚の画像の領域の分割方法、透過率の異なる２種類のフィールドの順番、および、極性反転のパターンによって、複数の画像表示方法パターンが発生する。
【００５６】
具体的には、１フレームの画像を２フィールドの画像に分け、それぞれのフィールドにおける各画素の透過率の割り当てが少なくとも一部異なるようになされている場合の一方をAフィールド、もう一方をBフィールドと称するものとしたとき、透過率の異なる２種類のフィールドの順番の組み合わせは、ＡＢＡＢＡＢ・・・と、一つ前のフィールドと異なる割り当てとなるようにするか、または、ＡＢＢＡＡＢＢＡ・・・と、各フレームで第１のフィールドが前のフィールド（すなわち、１つ前のフレームの第２のフィールド）の各画素の透過率の割り当てと等しく、第２のフィールドが前のフィールドにおける各画素の透過率の割り当てと異なるようにするかのいずれかである。
【００５７】
また、極性反転のパターンは、正負正負・・・と、一つ前のフィールドと異なる極性となるようにするか（すなわち、極性反転をフィールドごととするか）、正正負負・・・と、同一のフレームの２つのフィールドでは同一の極性とするか（すなわち、極性反転をフレームごととするか）のいずれかである。
【００５８】
上述した透過率の異なる２種類のフィールドの順番、および、極性反転のパターンの組み合わせは、実質３種類存在する。
【００５９】
第１のパターンが、同一のフレームのそれぞれのフィールドの極性が同一であり、全てのフレームで第１のフィールドがAフィールド、第２のフィールドがBフィールドであるパターンである。具体的に２フレーム分の組み合わせを記載すると、第１のフレームの第１のフィールドが、正極性でAフィールドであり、第１のフレームの第２のフィールドが、正極性でBフィールドであり、第２のフレームの第１のフィールドが、負極性でAフィールドであり、第２のフレームの第２のフィールドが、負極性でBフィールドとなる。
【００６０】
そして、第２のパターンが、同一のフレームのそれぞれのフィールドの極性が同一であり、各フレームで第１のフィールドが前のフィールド（すなわち、１つ前のフレームの第２のフィールド）の各画素の透過率の割り当てと等しく、第２のフィールドが前のフィールドにおける各画素の透過率の割り当てと異なるパターンである。具体的に２フレーム分の組み合わせを記載すると、第１のフレームの第１のフィールドが、正極性でAフィールドであり、第１のフレームの第２のフィールドが、正極性でBフィールドであり、第２のフレームの第１のフィールドが、負極性でBフィールドであり、第２のフレームの第２のフィールドが、負極性でAフィールドとなる。
【００６１】
そして、第３のパターンが、同一のフレームのそれぞれのフィールドの極性が異なり、各フレームで第１のフィールドが前のフィールド（すなわち、１つ前のフレームの第２のフィールド）の各画素の透過率の割り当てと等しく、第２のフィールドが前のフィールドにおける各画素の透過率の割り当てと異なるパターンである。具体的に２フレーム分の組み合わせを記載すると、第１のフレームの第１のフィールドが、正極性でAフィールドであり、第１のフレームの第２のフィールドが、負極性でBフィールドであり、第２のフレームの第１のフィールドが、正極性でBフィールドであり、第２のフレームの第２のフィールドが、負極性でAフィールドとなる。
【００６２】
したがって、画像の領域の分割方法の３つのパターンのそれぞれに対して、上述した２種類のフィールドの順番と極性反転の３つのパターンが組み合わせ可能である。
【００６３】
図６乃至図８のフローチャートを参照して、１フレームが２フィールドに分割される場合を例として、第１のパターン、第２のパターン、および、第３のパターンのそれぞれの場合における処理の詳細について説明する。
【００６４】
まず、図６を参照して、２種類のフィールドの順番と極性反転の組み合わせが、第１のパターンである場合の処理である画像表示処理１について説明する。
【００６５】
ステップＳ１において、コントローラ１４は、１フレームの画像データを取得する。
【００６６】
ステップＳ２において、コントローラ１４は、取得された１フレームの画像データを構成するそれぞれの画素において、人間の目に２枚のフィールド画像が積算されて視認されたときに、入力画像と同じ画、同じ明るさになるように、透過率を分割する。
【００６７】
具体的には、例えば、透過率１００％の画素は、１フィールド目と２フィールド目との２枚とも透過率１００％とされる。そして、透過率０％の画素は、１フィールド目と２フィールド目との２枚とも透過率０％とされる。
【００６８】
これに対して、中間調を有する画素は、１フィールド目と２フィールド目との２枚の画の対応する画素の透過率が異なるようにそれぞれのフィールドの画素の透過率が設定される。例えば、透過率７５％の画素は、透過率１００％と透過率５０％にすることができ、透過率５０％の画素は、透過率１００％と透過率０％にすることができ、透過率２５％の画素は、透過率５０％と透過率０％にすることができる。
【００６９】
また、１フィールド目と２フィールド目とのうちの多くても一方だけしか中間調領域の透過率にならないように印可電圧を設定すれば、１フィールド目と２フィールド目とのそれぞれへの透過率の分離の方法は自由に設定可能である。
【００７０】
このように駆動することで、V-T曲線が急峻となる中間調表示領域を保持している期間を、１フィールド目と２フィールド目とのうちの多くても一方とすることにより、光漏れの影響を低減することが可能となる。
【００７１】
ステップＳ３において、コントローラ１４は、フィールドを複数領域に分割し、それぞれのフィールドの各画素において分割された透過率を割り振る。
【００７２】
具体的には、コントローラ１４は、１つのフレームの画像のそれぞれの画素を、２つのフィールドに分割し、図５を用いて説明したように、例えば、上述した第１の領域分割パターン乃至第３の領域分割パターンのいずれかを採用して、となりあう領域で第１の透過率設定値と第２の透過率設定値とが割り当てられるように、それぞれの画素の透過率を設定する。
【００７３】
なお、ここでは、上述した第１の領域分割パターン乃至第３の領域分割パターンのいずれを選択しても良く、また、入力されるフレームレートが高い場合や、入力画像がフリッカを気にしないでよい画像である場合などには、必ずしも、１画面を複数領域に分割して異なる透過率設定値を割り当てるようにしなくてもよい。
【００７４】
ステップＳ４において、コントローラ１４は、次に表示する画像は、あるフレームの１フィールド目であるか否かを判断する。
【００７５】
ステップＳ４において、１フィールド目であると判断された場合、ステップＳ５において、コントローラ１４は、ステップＳ３において割り振られたうちの、第１の分割パターン（例えば、Ａフィールド）を選択する。
【００７６】
ステップＳ４において、１フィールド目ではないと判断された場合、すなわち、２フィールド目であると判断された場合、ステップＳ６において、コントローラ１４は、第２の分割パターン（例えば、Ｂフィールド）を選択する。
【００７７】
ステップＳ５またはステップＳ６の処理の終了後、ステップＳ７において、コントローラ１４は、前のフレームは正極性で表示されたか否かを判断する。
【００７８】
ステップＳ７において、前のフレームは正極性で表示されたと判断された場合、ステップＳ８において、コントローラ１４は、選択された分割パターンにおいて、負極性で表示を行う。
【００７９】
ステップＳ７において、前のフレームは正極性で表示されていないと判断された場合、すなわち、前のフレームは負極性で表示されたと判断された場合、ステップＳ９において、コントローラ１４は、選択された分割パターンにおいて、正極性で表示を行う。
【００８０】
ステップＳ８またはステップＳ９の処理の終了後、ステップＳ１０において、コントローラ１４は、このフレームの全てのフィールドの表示が終了したか否かを判断する。ステップＳ１０において、終了していないと判断された場合、処理は、ステップＳ４に戻り、それ以降の処理が繰り返される。
【００８１】
ステップＳ１０において、このフレームに含まれる全て（ここでは２枚）のフィールドの表示が終了したと判断された場合、ステップＳ１１において、コントローラ１４は、次のフレームのデータが存在するか否かを判断する。
【００８２】
ステップＳ１１において、次のフレームのデータが存在すると判断された場合、処理は、ステップＳ１に戻り、それ以降の処理が繰り返される。ステップＳ１１において、次のフレームのデータが存在しないと判断された場合、処理は終了される。
【００８３】
このような処理により、光漏れの影響を低減し、人間に視認されやすいフリッカの発生を抑制することが可能となる。
【００８４】
次に、図７を参照して、２種類のフィールドの順番と極性反転の組み合わせが、第２のパターンである場合の処理である画像表示処理２について説明する。
【００８５】
ステップＳ４１乃至ステップＳ４３において、図６のステップＳ１乃至ステップＳ３と基本的に同様の処理が実行される。
【００８６】
すなわち、コントローラ１４は、１フレームの画像データを取得し、取得された１フレームの画像データを構成するそれぞれの画素において、透過率を分割する。
【００８７】
そして、コントローラ１４は、図５を用いて説明したように、フィールドを複数領域に分割し、それぞれのフィールドの各画素において分割された透過率を割り振り、次に表示する画像は、あるフレームの１フィールド目であるか否かを判断する。
【００８８】
ステップＳ４４において、１フィールド目であると判断された場合、ステップＳ４５において、コントローラ１４は、ステップＳ４３において割り振られたうちの、第１の分割パターンと第２の分割パターンとにおいて、前のフィールド、すなわち、前のフレームの最後のフィールドと同一の分割パターンを選択する。
【００８９】
ステップＳ４４において、１フィールド目ではないと判断された場合、ステップＳ４６において、コントローラ１４は、第１の分割パターンと第２の分割パターンとにおいて、前のフィールドとは異なる分割パターンを選択する。
【００９０】
ステップＳ４５またはステップＳ４６の処理の終了後、ステップＳ４７乃至ステップＳ５１において、図６のステップＳ７乃至ステップＳ１１と基本的に同様の処理が実行される。
【００９１】
すなわち、コントローラ１４は、前のフレームは正極性で表示されたか否かを判断し、前のフレームは正極性で表示されたと判断された場合、選択された分割パターンにおいて負極性で表示を行い、前のフレームは正極性で表示されていないと判断された場合、選択された分割パターンにおいて、正極性で表示を行う。
【００９２】
そして、コントローラ１４は、このフレームの全てのフィールドの表示が終了したか否かを判断し、終了していないと判断された場合、処理は、ステップＳ４４に戻り、それ以降の処理が繰り返される。そして、このフレームに含まれる全てのフィールドの表示が終了したと判断された場合、コントローラ１４は、次のフレームのデータが存在するか否かを判断し、次のフレームのデータが存在すると判断された場合、処理は、ステップＳ４１に戻り、それ以降の処理が繰り返され、次のフレームのデータが存在しないと判断された場合、処理は終了される。
【００９３】
このような処理により、光漏れの影響を低減し、人間に視認されやすいフリッカの発生を抑制することが可能となる。
【００９４】
まず、図８を参照して、２種類のフィールドの順番と極性反転の組み合わせが、第３のパターンである場合の処理である画像表示処理３について説明する。
【００９５】
ステップＳ８１乃至ステップＳ８４において、図６のステップＳ１乃至ステップＳ３と基本的に同様の処理が実行される。
【００９６】
すなわち、コントローラ１４は、１フレームの画像データを取得し、取得された１フレームの画像データを構成するそれぞれの画素において、透過率を分割する。
【００９７】
そして、コントローラ１４は、図５を用いて説明したように、フィールドを複数領域に分割し、それぞれのフィールドの各画素において分割された透過率を割り振り、次に表示する画像は、あるフレームの１フィールド目であるか否かを判断する。
【００９８】
ステップＳ８４において、１フィールド目であると判断された場合、ステップＳ８５において、コントローラ１４は、ステップＳ８３において割り振られたうちの、第１の分割パターンと第２の分割パターンとにおいて、前のフィールド、すなわち、前のフレームの最後のフィールドと同一の分割パターンを選択する。
【００９９】
ステップＳ８６において、コントローラ１４は、選択された分割パターンにおいて、正極性で表示を行う。
【０１００】
ステップＳ８４において、１フィールド目ではないと判断された場合、ステップＳ８７において、コントローラ１４は、第１の分割パターンと第２の分割パターンとにおいて、前のフィールドとは異なる分割パターンを選択する。
【０１０１】
ステップＳ８８において、コントローラ１４は、選択された分割パターンにおいて、負極性で表示を行う。
【０１０２】
ステップＳ８６またはステップＳ８８の処理の終了後、ステップＳ８９において、コントローラ１４は、このフレームの全てのフィールドの表示が終了したか否かを判断する。ステップＳ８９において、終了していないと判断された場合、処理は、ステップＳ８４に戻り、それ以降の処理が繰り返される。
【０１０３】
ステップＳ８９において、このフレームに含まれる全てのフィールドの表示が終了したと判断された場合、ステップＳ９０において、コントローラ１４は、次のフレームのデータが存在するか否かを判断する。
【０１０４】
ステップＳ９０において、次のフレームのデータが存在すると判断された場合、処理は、ステップＳ８１に戻り、それ以降の処理が繰り返される。ステップＳ９０において、次のフレームのデータが存在しないと判断された場合、処理は終了される。
【０１０５】
このような処理により、光漏れの影響を低減し、人間に視認されやすいフリッカの発生を抑制することが可能となる。
【０１０６】
図６乃至図８のフローチャートを参照して説明した処理のうち、画像表示処理１、および、画像表示処理２によって表示される画像は、最適VCOMに略正しく調整されている（VCOMのずれによるフリッカが気にならない程度に調整されている）か、または、VCOMが最適値に調整されていなくても、入力される画像のフレームレートが、例えば、１２０Ｈｚ以上であって、出力される画像のフィールドレートが２４０Ｈｚとなる場合、または、入力される画像のフレームレートが６０Ｈｚであって、出力される画像のフィールドレートが２４０Ｈｚとなる（１フレームが４フィールドに分割される）場合、発生するフリッカは人間に視認されない。
【０１０７】
動画像を表示させる場合、フレームレートまたはフィールドレートが高くなるにともなって、ジャーキネスや動きぼけに関して、表示される画像を見る観察者からの評価値が向上する。ジャーキネスに関しても動きぼけに関しても、２５０Ｈｚ近辺までは評価値が向上するが、更に高いフレームレートまたはフィールドレートでは、評価値はあまり向上しないという傾向が示される（例えば、特開２００４−２６６８０８号公報参照）。
【０１０８】
現在広く用いられている映像リソースは、５０Ｈｚや６０Ｈｚのものが多いので、その整数倍の周波数である２４０Ｈｚや２５０Ｈｚが、映像リソースの有効性を考慮した場合の理想周波数であり、出力フィールドレートがこれらの値であるとき、表示される画像を見る観察者からは、フリッカが視認されないのみならず、ジャーキネスや動きボケもほとんど感じられないため、好適である。
【０１０９】
ところで、一般的に液晶表示装置に用いられる液晶パネルにおいては、パネル毎に最適VCOMが異なるので、パネル毎に最適VCOMを調整する必要があった。この最適VCOMの調整範囲が広いほど、工程中のリードタイムを短くする事ができる。
【０１１０】
すなわち、最適VCOMの調整範囲の許容値が広くても人間に視認されるフリッカが発生しにくい場合、液晶表示装置の製造工程中のリードタイムを短くする事ができ、コストを削減することができる。
【０１１１】
そこで、図９乃至図１７を参照して、６０Ｈｚの入力画像１フレームを２フィールドに分割する（出力フィールドレート１２０Ｈｚである）場合のフィールド分割方法ごとに、VCOMが最適値からずれた場合の実効印加電圧の変化と画素の明るさの変化について説明する。
【０１１２】
図９乃至図１７のいずれにおいても、図の最上部には、ウィンドウ表示が行われている画像が表示されている場合を例として、３フレーム分、６フィールドの領域分割パターンの模式図が記載され、同一のフレームにおいてそれぞれ第１の透過率設定と第２の透過率設定値が設定される（換言すれば、それぞれの領域分割パターンにおいてとなりあう領域に含まれる）２つの画素が選択されて、画素Ａおよび画素Ｂとされている。そして、その模式図の下に、それぞれのフィールドにおける図中Ａで示される画素および図中Ｂで示される画素の画素印可電圧が、図中Ａで示される画素においては実線で、図中Ｂで示される画素においては点線で示されており、更にその下部に、それぞれのフィールドにおける図中Ａで示される画素および図中Ｂで示される画素のそれぞれの液晶実行印可電圧が、最適ＶＣＯＭのとき、ＶＣＯＭ高めの場合、ＶＣＯＭ低めの場合のそれぞれにおいて、図中Ａで示される画素においては実線で、図中Ｂで示される画素においては点線で示されている。
【０１１３】
図９は、１Hライン毎に第１の透過率設定値と第２の透過率設定値とが交互に設定される第１の領域分割パターンにおいて、図６のフローチャートを用いて説明したように、２種類のフィールドの順番と極性反転のパターンの組み合わせが第１のパターンである場合の、図中Ａで示される画素および図中Ｂで示される画素のそれぞれの画素印可電圧および液晶実行印可電圧を示す図である。
【０１１４】
図１０は、１Hライン毎に第１の透過率設定値と第２の透過率設定値とが交互に設定される第１の領域分割パターンにおいて、図７のフローチャートを用いて説明したように、２種類のフィールドの順番と極性反転のパターンの組み合わせが第２のパターンである場合の、図中Ａで示される画素および図中Ｂで示される画素のそれぞれの画素印可電圧および液晶実行印可電圧を示す図である。
【０１１５】
図１１は、１Hライン毎に第１の透過率設定値と第２の透過率設定値とが交互に設定される第１の領域分割パターンにおいて、図８のフローチャートを用いて説明したように、２種類のフィールドの順番と極性反転のパターンの組み合わせが第３のパターンである場合の、図中Ａで示される画素および図中Ｂで示される画素のそれぞれの画素印可電圧および液晶実行印可電圧を示す図である。
【０１１６】
図９および図１０に示される、２種類のフィールドの順番と極性反転のパターンの組み合わせが第１のパターンである場合と第２のパターンである場合とにおいては、極性反転が２フィールドごとになるため、それぞれの画素に注目すると、最適ＶＣＯＭに調整されていないとき（ＶＣＯＭ高めまたは低めのとき）には、３０Ｈｚのフリッカ成分が発生してしまう。
【０１１７】
これに対して、図１１に示される、２種類のフィールドの順番と極性反転のパターンの組み合わせが第３のパターンである場合においては、極性反転が１フィールドごとになるため、最適ＶＣＯＭに調整されていないとき（ＶＣＯＭ高めまたは低めのとき）であっても、それぞれの画素に注目したとしても、発生するフリッカ成分は６０Ｈｚであり、人間の目に視認されない。
【０１１８】
したがって、１Hライン毎に第１の透過率設定値と第２の透過率設定値とが交互に設定される第１の領域分割パターンにおいて、２種類のフィールドの順番と極性反転のパターンの組み合わせが第１のパターンである場合と第２のパターンである場合とに比較して、第３のパターンである場合のほうが、最適VCOMの調整範囲を広く設定することができ、工程中のリードタイムを短くする事ができる。
【０１１９】
また、１Vライン毎に第１の透過率設定値と第２の透過率設定値とが交互に設定される第２の領域分割パターンと、ドット毎（１H／１V毎）に第１の透過率設定値と第２の透過率設定値とが交互に設定される第３の領域分割パターンとにおいても、第１の領域分割パターンにおける場合と同様に、２種類のフィールドの順番と極性反転のパターンの組み合わせが第３のパターンであるときには、第１のパターンまたは第２のパターンにおける場合よりも、最適VCOMの調整範囲を広く設定しても（換言すれば、最適ＶＣＯＭに精度良く調整されていないとき）であっても、人間に視認されやすい周波数のフリッカが発生しにくい。
【０１２０】
図１２は、１Vライン毎に第１の透過率設定値と第２の透過率設定値とが交互に設定される第２の領域分割パターンにおいて、図６のフローチャートを用いて説明したように、２種類のフィールドの順番と極性反転のパターンの組み合わせが第１のパターンである場合の、図中Ａで示される画素および図中Ｂで示される画素のそれぞれの画素印可電圧および液晶実行印可電圧を示す図である。
【０１２１】
図１３は、１Vライン毎に第１の透過率設定値と第２の透過率設定値とが交互に設定される第２の領域分割パターンにおいて、図７のフローチャートを用いて説明したように、２種類のフィールドの順番と極性反転のパターンの組み合わせが第２のパターンである場合の、図中Ａで示される画素および図中Ｂで示される画素のそれぞれの画素印可電圧および液晶実行印可電圧を示す図である。
【０１２２】
図１４は、１Vライン毎に第１の透過率設定値と第２の透過率設定値とが交互に設定される第２の領域分割パターンにおいて、図８のフローチャートを用いて説明したように、２種類のフィールドの順番と極性反転のパターンの組み合わせが第３のパターンである場合の、図中Ａで示される画素および図中Ｂで示される画素のそれぞれの画素印可電圧および液晶実行印可電圧を示す図である。
【０１２３】
図１２および図１３に示される、２種類のフィールドの順番と極性反転のパターンの組み合わせが第１のパターンである場合と第２のパターンである場合とにおいては、極性反転が２フィールドごとになるため、それぞれの画素に注目すると、最適ＶＣＯＭに調整されていないとき（ＶＣＯＭ高めまたは低めのとき）には、３０Ｈｚのフリッカ成分が発生してしまう。
【０１２４】
これに対して、図１４に示される、２種類のフィールドの順番と極性反転のパターンの組み合わせが第３のパターンである場合とにおいては、極性反転が１フィールドごとになるため、最適ＶＣＯＭに調整されていないとき（ＶＣＯＭ高めまたは低めのとき）であっても、それぞれの画素に注目したとしても、発生するフリッカ成分は６０Ｈｚであり、人間の目に視認されない。
【０１２５】
したがって、１Vライン毎に第１の透過率設定値と第２の透過率設定値とが交互に設定される第２の領域分割パターンにおいても、２種類のフィールドの順番と極性反転のパターンの組み合わせが第１のパターンである場合と第２のパターンである場合とに比較して、第３のパターンである場合のほうが、最適VCOMの調整範囲を広く設定することができ、工程中のリードタイムを短くする事ができる。
【０１２６】
そして、図１５は、ドット毎（１H／１V毎）に第１の透過率設定値と第２の透過率設定値とが交互に設定される第３の領域分割パターンにおいて、図６のフローチャートを用いて説明したように、２種類のフィールドの順番と極性反転のパターンの組み合わせが第１のパターンである場合の、図中Ａで示される画素および図中Ｂで示される画素のそれぞれの画素印可電圧および液晶実行印可電圧を示す図である。
【０１２７】
図１６は、ドット毎（１H／１V毎）に第１の透過率設定値と第２の透過率設定値とが交互に設定される第３の領域分割パターンにおいて、図７のフローチャートを用いて説明したように、２種類のフィールドの順番と極性反転のパターンの組み合わせが第２のパターンである場合の、図中Ａで示される画素および図中Ｂで示される画素のそれぞれの画素印可電圧および液晶実行印可電圧を示す図である。
【０１２８】
図１７は、ドット毎（１H／１V毎）に第１の透過率設定値と第２の透過率設定値とが交互に設定される第３の領域分割パターンにおいて、図８のフローチャートを用いて説明したように、２種類のフィールドの順番と極性反転のパターンの組み合わせが第３のパターンである場合の、図中Ａで示される画素および図中Ｂで示される画素のそれぞれの画素印可電圧および液晶実行印可電圧を示す図である。
【０１２９】
図１５および図１６に示される、２種類のフィールドの順番と極性反転のパターンの組み合わせが第１のパターンである場合と第２のパターンである場合とにおいては、極性反転が２フィールドごとになるため、それぞれの画素に注目すると、最適ＶＣＯＭに調整されていないとき（ＶＣＯＭ高めまたは低めのとき）には、３０Ｈｚのフリッカ成分が発生してしまう。
【０１３０】
これに対して、図１７に示される、２種類のフィールドの順番と極性反転のパターンの組み合わせが第３のパターンである場合とにおいては、極性反転が１フィールドごとになるため、最適ＶＣＯＭに調整されていないとき（ＶＣＯＭ高めまたは低めのとき）であっても、それぞれの画素に注目したとしても、発生するフリッカ成分は６０Ｈｚであり、人間の目に視認されない。
【０１３１】
したがって、ドット毎（１H／１V毎）に第１の透過率設定値と第２の透過率設定値とが交互に設定される第３の領域分割パターンにおいても、２種類のフィールドの順番と極性反転のパターンの組み合わせが第１のパターンである場合と第２のパターンである場合とに比較して、第３のパターンである場合のほうが、最適VCOMの調整範囲を広く設定することができ、工程中のリードタイムを短くする事ができる。
【０１３２】
以上の説明においては、主に、入力される画像信号のフレームレートが６０Hzの場合について説明したが、入力信号がこれ以外の周波数、例えば、５０Hzや、１２０Ｈｚなど、いずれの周波数であっても、上述した処理を適用することにより、良好な画質を得ることができることは言うまでもない。
【０１３３】
また、ここでは、それぞれの画素において周辺画素の極性が同一になる（すなわち、１Ｈ反転駆動ではそれぞれの画素において上下の画素の極性が異なり、１Ｖ反転駆動ではそれぞれの画素において左右の画素の極性が異なり、ドット反転駆動ではそれぞれの画素において上下左右の画素の極性が異なるので、それらの反転駆動とは異なる）駆動として、１F反転駆動を例にしたが、それに限らず、例えば、特開２００４−１７７９３０号公報に開示されているように、リフレッシュの際に上下左右の極性が同一になる駆動（例えば、飛び越し走査駆動や、間引き１Ｈ反転駆動とも称される）が実行される場合においても、上述した処理を適用することにより、良好な画質を得ることができることは言うまでもない。
【０１３４】
上述した本発明を適用することにより、光漏れの影響を低減し、人間に視認されやすいフリッカの発生を抑制することが可能となるので、画素が狭ピッチでも良好な画質を得ることができる。
【０１３５】
また、本明細書において、処理を実行するそれぞれのステップは、記載された順序に沿って時系列的に行われる処理はもちろん、必ずしも時系列的に処理されなくとも、並列的あるいは個別に実行される処理をも含むものである。
【０１３６】
なお、本発明の実施の形態は、上述した実施の形態に限定されるものではなく、本発明の要旨を逸脱しない範囲において種々の変更が可能である。
【図面の簡単な説明】
【０１３７】
【図１】従来の、１フレームを２フィールドの画像を用いて表示する処理について説明するための図である。
【図２】対向電圧値（VCOM）とフリッカ成分との関係について説明するための図である。
【図３】液晶表示装置の構成を示す図である。
【図４】液晶の電圧透過率（Ｖ−Ｔ）曲線を示す図である。
【図５】領域分割パターンについて説明するための図である。
【図６】画像表示処理１について説明するためのフローチャートである。
【図７】画像表示処理２について説明するためのフローチャートである。
【図８】画像表示処理３について説明するためのフローチャートである。
【図９】フィールドへの画像の分割の方法と実効印加電圧の変化との関係について説明するための図である。
【図１０】フィールドへの画像の分割の方法と実効印加電圧の変化との関係について説明するための図である。
【図１１】フィールドへの画像の分割の方法と実効印加電圧の変化との関係について説明するための図である。
【図１２】フィールドへの画像の分割の方法と実効印加電圧の変化との関係について説明するための図である。
【図１３】フィールドへの画像の分割の方法と実効印加電圧の変化との関係について説明するための図である。
【図１４】フィールドへの画像の分割の方法と実効印加電圧の変化との関係について説明するための図である。
【図１５】フィールドへの画像の分割の方法と実効印加電圧の変化との関係について説明するための図である。
【図１６】フィールドへの画像の分割の方法と実効印加電圧の変化との関係について説明するための図である。
【図１７】フィールドへの画像の分割の方法と実効印加電圧の変化との関係について説明するための図である。
【符号の説明】
【０１３８】
１  液晶表示装置，  １１  液晶パネル，  １２  信号線駆動回路，  １３  ゲート線駆動回路，  １４  コントローラ
【図１】
2008304661.tif 000003
【図２】
2008304661.tif 000004
【図３】
2008304661.tif 000005
【図４】
2008304661.tif 000006
【図５】
2008304661.tif 000007
【図６】
2008304661.tif 000008
【図７】
2008304661.tif 000009
【図８】
2008304661.tif 000010
【図９】
2008304661.tif 000011
【図１０】
2008304661.tif 000012
【図１１】
2008304661.tif 000013
【図１２】
2008304661.tif 000014
【図１３】
2008304661.tif 000015
【図１４】
2008304661.tif 000016
【図１５】
2008304661.tif 000017
【図１６】
2008304661.tif 000018
【図１７】
2008304661.tif 000019